(57)【要約】【課題】ボード体にクリップ体を取り付けて組み立てるのに手間がかからず、製造コストが高くなることなく、さらにクリップ体、ボード体などの構成部材をいずれも合成樹脂から成るものとして、使い古したりして破棄する場合に、これら構成部材を分解しなくても、ごみの分別ができるようにしたクリップボードを提供する。【解決手段】合成樹脂製のクリップ体１と、合成樹脂製のボード体２と、合成樹脂製の板バネ３とから構成され、前記クリップ体１をヒンジ部４を介してボード体２と一体として樹脂成形し、前記クリップ体１をボード体２側に折り返して、このクリップ体１の前端部１ａがボード体２に接触し、押圧力を付した状態になるように、前記クリップ体１とボード体２とを板バネ３で挟み込んだものとしている。【選択図】図２
2015003492.tif 000002
【特許請求の範囲】
【請求項１】
合成樹脂製のクリップ体（１）と、合成樹脂製のボード体（２）と、合成樹脂製の板バネ（３）とから構成され、前記クリップ体（１）をヒンジ部（４）を介してボード体（２）と一体として樹脂成形し、前記クリップ体（１）をボード体（２）側に折り返して、このクリップ体（１）の前端部（１ａ）がボード体（２）に接触し、押圧力を付した状態になるように、前記クリップ体（１）とボード体（２）とを板バネ（３）で挟み込んだものとしたことを特徴とするクリップボード。
【請求項２】
前記クリップ体（１）は、側面視略くの字として、前端部（１ａ）がボード体（２）に接触するようにしたことを特徴とする請求項１記載のクリップボード。
【請求項３】
前記クリップ体（１）は、支持脚（５）を設けたものとしており、この支持脚（５）を、ボード体（２）に形成した支持部６に支持させておくようにしたことを特徴とする請求項１又は２記載のクリップボード。
【請求項４】
前記クリップ体（１）の前端部（１ａ) には、掛け片（７）を設けたものとしたことを特徴とする請求項１〜３のいずれかに記載のクリップボード。
【請求項５】
前記板バネ（３）は、側面視略Ｕ字状に形成し、一端部（３ａ）を前記クリップ体（１）に形成された凹部（１０）に嵌まり込むようにすると共に、もう一端部（３ｂ）を前記ボード体（２）に形成された凹部（１１）に嵌まり込むようにしたことを特徴とする請求項１〜４のいずれかに記載のクリップボード。
【請求項６】
前記ヒンジ部（４）は、板バネ（３）の両側方に位置するように一対としたものとし、それぞれを帯状に形成して折曲自在としており、クリップ体（１）をボード体（２）側に折り返すときに、折れ曲がるようにしたことを特徴とする請求項１〜５のいずれかに記載のクリップボード。
【発明の詳細な説明】
【技術分野】
【０００１】
この発明は、メモ用紙、伝票、ノート等の被挟持物を挟んで保持しておくことのできるクリップボードに関するものである。
【背景技術】
【０００２】
従来、この種のクリップボードとしては、メモ用紙、伝票、ノート等の被挟持物を載せておくボード体と、これらをこのボード体との間に挟んでおくクリップ体からなるものとしている。
【０００３】
この従来のクリップボードは、長方形状の合成樹脂板または厚紙で作製したボード体と、このボード体の上部に取り付けられたクリップ体との間に、コイルバネ等の弾性体を介在させて、この弾性体の付勢力によって、ボード体に載せた前記被挟持物をこのボード体との間にクリップ体で挟んでおくようにしている。
【０００４】
そして、従来のクリップボードでは、ボード体にクリップ体を取り付けて組み立てるには、クリップ体に設けられた貫通孔からボード体に設けられた取付孔にリベットピン等を通して、リベット締め等することにより行われている（特許文献１〜４）。
【先行技術文献】
【特許文献】
【０００５】
【特許文献１】特開平６ー３４４６９５号公報
【特許文献２】特開平６ー３４４６９６号公報
【特許文献３】特許第３１２８９５７号公報
【特許文献４】特許第３１３９０７７号公報
【発明の概要】
【発明が解決しようとする課題】
【０００６】
しかしながら、上記従来のクリップボードでは、ボード体にクリップ体を取り付けて組み立てるには、上記したように別体としたボード体部分とクリップ体部分とをリベット締め等することにより行っているので、この組立作業に非常に手間がかかり、製造コストが高くなるという課題を有していた。
【０００７】
さらに、上記従来のクリップボードは、ボード体の合成樹脂や厚紙の部分と、クリップ体やコイルバネ等の金属部分から成るため、クリップボードを使い古したりして破棄する場合には、これらの部分を分解して「燃えるゴミ」と「燃えないゴミ」等というように別々にしなければ、ごみの分別ができないという課題を有していた。
【０００８】
そこで、この発明は、上記従来のクリップボードが有する課題を解決することを目的としており、ボード体にクリップ体を取り付けて組み立てるのに手間がかからず、製造コストが高くなることなく、さらにクリップ体、ボード体などの構成部材をいずれも合成樹脂から成るものとして、使い古したりして破棄する場合に、これら構成部材を分解しなくても「燃えるゴミ」等だけにして、ごみの分別ができるようにしたクリップボードを提供することを目的としてなされたものである。
【課題を解決するための手段】
【０００９】
そのため、この発明のクリップボードは、合成樹脂製のクリップ体１と、合成樹脂製のボード体２と、合成樹脂製の板バネ３とから構成され、前記クリップ体１をヒンジ部４を介してボード体２と一体として樹脂成形し、前記クリップ体１をボード体２側に折り返して、このクリップ体１の前端部１ａがボード体２に接触し、押圧力を付した状態になるように、前記クリップ体１とボード体２とを板バネ３で挟み込んだものとしている。
【００１０】
そして、この発明のクリップボードにおいて、前記クリップ体１は、側面視略くの字として、前端部１ａがボード体２に接触するようにしている。
【００１１】
さらに、この発明のクリップボードにおいて、前記クリップ体１は、支持脚５を設けたものとしており、この支持脚５を、ボード体２に形成した支持部６に支持させておくようにしている。
【００１２】
また、この発明のクリップボードにおいて、前記クリップ体１の前端部１ａには、掛け片７を設けたものとしている。
【００１３】
さらに、この発明のクリップボードにおいて、前記板バネ３は、側面視略Ｕ字状に形成し、一端部３ａを前記クリップ体１に形成された凹部１０に嵌まり込むようにすると共に、もう一端部３ｂを前記ボード体２に形成された凹部１１に嵌まり込むようにしている。
【００１４】
また、この発明のクリップボードにおいて、前記ヒンジ部４は、板バネ３の両側方に位置するように一対としたものとし、それぞれを帯状に形成して折曲自在としており、クリップ体１をボード体２側に折り返すときに、折れ曲がるようにしている。
【発明の効果】
【００１５】
この発明のクリップボードは、以上に述べたように構成されており、クリップ体とボード体を合成樹脂で一体成形したことにより、ボード体にクリップ体を取り付けて組み立てるのに手間がかからず、製造コストが高くなることがなく、安価に提供できるようになった。
【００１６】
さらに、この発明のクリップボードは、クリップ体、ボード体などの構成部材をいずれも合成樹脂から成るものとしたので、使い古したりして破棄する場合に、これらを分解しなくても、ごみの分別ができるようになった。
【図面の簡単な説明】
【００１７】
【図１】この発明のクリップボードの斜視図である。
【図２】この発明のクリップボードを組み立てる前の斜視図である。
【図３】この発明のクリップボードのクリップ体とボード体とを合成樹脂で一体成形した要部の斜視図である。
【図４】この発明のクリップボードのクリップ体とボード体とを合成樹脂で一体成形した要部の平面図である。
【図５】この発明のクリップボードのクリップ体とボード体とを合成樹脂で一体成形した要部の底面図である。
【図６】この発明のクリップボードのクリップ体とボード体とを弾力を付して挟み込んでおくための合成樹脂製の板バネの斜視図である。
【図７】この発明のクリップボードのクリップ体とボード体とを合成樹脂製の板バネで弾力を付して挟み込んだときの要部の斜視図である。
【図８】この発明のクリップボードの他の実施形態を示しており、そのクリップボードのクリップ体とボード体とを合成樹脂製の板バネで弾力を付して挟み込んだときの要部の斜視図である。
【発明を実施するための形態】
【００１８】
以下、この発明のクリップボードを実施するための形態を、図面に基づいて詳細に説明する。
【００１９】
この発明のクリップボードは、合成樹脂製のクリップ体１と、合成樹脂製のボード体２と、合成樹脂製の板バネ３とから構成されており、クリップ体１をヒンジ部４を介してボード体２と一体として樹脂成形したものとしている。そして、前記ヒンジ部４を折り曲げて、クリップ体１をボード体２側に折り返して、このクリップ体１の前端部１ａがボード体２に接触し、押圧力を付した状態になるように、前記クリップ体１とボード体２とを板バネ３で挟み込んだものとしている。このようにすると、前記クリップ体１の前端部１ａを手指で持ち上げ、このクリップ体１の前端部１ａとボード体２との間にメモ用紙、伝票、ノート等の被挟持物を差し込んで、クリップ体１の前端部１ａから手指を離せば、クリップ体１の前端部１ａとボード体２との間に、前記被挟持物を挟んで保持しておくことができる。
【００２０】
前記クリップ体１は、ボード体２の一側辺寄りに、ヒンジ部４を介して樹脂成形したものとし、そのボード体２の一側辺に沿って横長に形成され、図示したように、側面視略くの字として、前端部１ａがボード体２に接触するようにしている。そして、クリップ体１は、少なくとも両側寄りの後端部１ｂ（図示したものは、両側寄りの後端部１ｂの二か所、中央の後端部１ｂの一か所、及び両側と中央の間の後端部１ｂの二か所の合計五か所）に支持脚５を設けたものとしており、これら支持脚５を、後に述べるボード体２の一側辺寄りに形成した支持部６に支持させておくようにしている。このようにした場合は、図８に示したように、前記クリップ体１とボード体２とはヒンジ部４を介することなく、別体として樹脂成形したものとすることもできる。
【００２１】
なお、前記支持脚５は、クリップ体１をボード体２側に折り返したとき、このクリップ体１の後端部１ｂを支持して、クリップ体１とボード体２の間を適宜間隔に維持しておくものであり、この支持脚５を長くすればクリップ体１とボード体２の間隔は広がり、この支持脚５を短くすればクリップ体１とボード体２の間隔は狭まるので、前記被挟持物の厚さに応じて適宜の長さに調節すればよい。前記支持脚５は、図示したものは板状としているが棒状としてもよい。前記支持脚５を板状とした場合には、クリップ体１の両側寄りの後端部１ｂの二か所、及びクリップ体１の両側と中央の間の後端部１ｂの二か所の支持脚５は、クリップ体１の幅方向に設け、クリップ体１の中央の後端部１ｂの一か所の支持脚５は、クリップ体１の長さ方向に設けたものとしている。このようにすると、クリップ体１とボード体２の間を安定した状態で適宜間隔に維持しておくことができる。
【００２２】
さらに、クリップ体１の前端部１ａには、掛け片７を設けたものとしており、前記したようにクリップ体１の前端部１ａを手指で持ち上げるときに、この掛け片７に手指を掛けて、引き上げることにより、クリップ体１の前端部１ａを持ち上げ易いようにしている。
【００２３】
前記ボード体２は、長方形の板状に樹脂成形したものとし、クリップ体１を形成した一側辺寄りには前記支持脚５の支持部６を形成したものとしている。この支持部６は、前記支持脚５の先端が挟まれたり包囲されて、支持されるようにしているが、前記支持脚５を支持できるものであれば、このような構造に限られることはない。そして、このボード体２には、必要に応じて、少なくとも一側辺には目盛り付き定規部８が設けられており、定規としても使用できるようにし、必要な長さの直線を引けるようにしている。さらに、このボード体２には、前記クリップ体１の近辺に位置するように、鉛筆やボールペン等の筆記具を引っ掛けておくための筆記具用クリップ９を設けたものとしている。
【００２４】
前記板バネ３は、側面視略Ｕ字状に形成し、この板バネ３の一端部３ａを前記クリップ体１の略中央後端部に形成された凹部１０に嵌まり込むようにすると共に、前記板バネ３のもう一端部３ｂを前記ボード体２の一側辺部に形成された凹部１１に嵌まり込むようにして、前記クリップ体１とボード体２とを挟み込んだものとしている。
【００２５】
前記ヒンジ部４は、板バネ３の両側方に位置するように一対としたものとしており、それぞれに薄肉とした折曲部４ａを設けたり、それぞれの全体を薄肉として、それぞれを帯状に形成して折曲自在としており、クリップ体１をボード体２側に折り返すときに、このヒンジ部４が折れ曲がるようにしている。
【００２６】
以上のように構成されたこの発明のクリップボードは、使用するに当たり、クリップ体１の後端部１ｂを人差指で押さえ、このクリップ体１の前端部１ａに設けた掛け片７に親指を掛けて、引き上げることにより、クリップ体１の前端部１ａを持ち上げる。
【００２７】
次に、前記クリップ体１の前端部１ａを持ち上げた状態で、このクリップ体１の前端部１ａとボード体２との間にメモ用紙、伝票、ノート等の被挟持物を差し込んで、クリップ体１の前端部１ａに設けた掛け片７から親指を離せば、クリップ体１の前端部１ａとボード体２との間に、前記被挟持物を挟んで保持しておくことができる。
【００２８】
そして、前記被挟持物を外す場合には、再びクリップ体１の後端部１ｂを人差指で押さえ、このクリップ体１の前端部１ａに設けた掛け片７に親指を掛けて、引き上げれば、クリップ体１の前端部１ａを持ち上げることができるので、この状態で被挟持物をクリップ体１の前端部１ａとボード体２との間から引き抜くようにすればよい。
【００２９】
この発明のクリップボードは、以上に述べたように構成されており、クリップ体１とボード体２を合成樹脂で一体成形したことにより、クリップボードを組み立てるにも手間がかからず簡単に組み立てることができるので、製造コストが高くなることがなく、安価に提供できるようになった。
【００３０】
さらに、この発明のクリップボードは、クリップ体１、ボード体２、板バネ３及びヒンジ部４の構成部材のすべてが合成樹脂から成るものとしたので、使い古したりして破棄する場合に、これらを分解しなくても、ごみの分別ができるようになった。
【符号の説明】
【００３１】
１  クリップ体
１ａ  前端部
２  ボード体
３  板バネ
４  ヒンジ部
５  支持脚
６  支持部
７  掛け片
１０  凹部
１１  凹部
【図１】
2015003492.tif 000003
【図２】
2015003492.tif 000004
【図３】
2015003492.tif 000005
【図４】
2015003492.tif 000006
【図５】
2015003492.tif 000007
【図６】
2015003492.tif 000008
【図７】
2015003492.tif 000009
【図８】
2015003492.tif 000010